(57)【要約】      （修正有）【課題】建物外壁への取付けが簡単容易に行えると共に、構造がコンパクトで外観上の体裁が良好で実用的な壁つなぎ取付金具を提供する。【解決手段】仮設足場の壁つなぎ５を建物外壁に取り付けるための取付金具であり、  第１管体７と第２管体８とを備え、両管体７，８の夫々外端部に下向きに突設する挟持片９，１０を設け、第１管体７の挟持片９には壁つなぎ用連結部１１を設け、第１管体７は外端部を閉塞し、外端側閉塞部１２にボルト挿通孔１３を設け、第２管体８は両端部を閉塞し、内端側閉塞部１４にネジ孔１５を設け、第１管体７の外端側ボルト挿通孔１３から挿通した締付用ボルト１７の先端部を第２管体８の内端側ネジ孔１５に螺入し、両管体７，８の挟持片を建物外壁の突起部に跨がらせて締付用ボルト１７を締付方向に回転させることにより、両管体７，８を収縮させて両挟持片９，１０で挟着固定する。【選択図】図２
0003163919.tif 000002
【実用新案登録請求の範囲】
【請求項１】
仮設足場の壁つなぎを建物外壁に取り付けるための取付金具であって、
壁つなぎに連結される第１管体と、第１管体よりも径小で、第１管体内に伸縮自在に嵌合される第２管体とを備え、第１管体及び第２管体の夫々外端部に下向きに突設する挟持片を設け、第１管体の挟持片には壁つなぎ用連結部を設け、第１管体は外端部を閉塞し、この外端側閉塞部にボルト挿通孔を設け、第２管体は両端部を閉塞して、その内端側閉塞部にネジ孔を設け、第１管体の外端側ボルト挿通孔から挿通した締付用ボルトの先端部を第２管体の内端側ネジ孔に螺入し、このボルトを正逆回転させることにより両管体を伸縮させるようにし、しかして両管体の挟持片を建物外壁の突起部に跨がらせて締付用ボルトを締付方向に回転させることにより、両管体を収縮させて、両挟持片で挟着固定するようにした壁つなぎ取付金具。
【請求項２】
第１管体及び第２管体は夫々角形管体からなるもので、第１管体の上壁部下面と第２管体の上壁部上面との間にスペーサプレートを介在させて、このスペーサプレートを第２管体に固定すると共に、このプレートにはその幅方向中央部にプレート長さ方向に所要長さ延びるガイド溝を設け、このガイド溝に沿って案内されるガイドピンを第１管体の内端部の管体幅方向中央部に取り付けてなる請求項１に記載の壁つなぎ取付金具。
【請求項３】
スペーサプレートの幅方向中央部にプレート長さ方向に所要長さ延びて設けられるガイド溝の内端部は閉塞されてなる請求項２に記載の壁つなぎ取付金具。
【請求項４】
前記壁つなぎ用連結部は、第１管体の挟持片の下端部に設けられるネジ孔部からなる請求項１〜３の何れかに記載の壁つなぎ取付金具。
【請求項５】
第２管体の挟持片は、その内側面を下端側が内方へ出っ張るような傾斜面に形成してなる請求項１〜４の何れかに記載の壁つなぎ取付金具。
【考案の詳細な説明】
【技術分野】
【０００１】
本考案は、仮設足場の壁つなぎを建物の外壁、例えばベランダの手摺りやパラペット等に取り付けるのに使用される壁つなぎ取付金具に関する。
【背景技術】
【０００２】
従来の壁つなぎ取付金具として、例えば下記特許文献１に記載されたものがある。この壁つなぎ取付金具は、横棒の一端側を建物の外壁に固定し、他端側を仮設足場に固定するようにした取付金具で、横棒の一端側に第１挟持体と第２挟持体とを離間して且両者間の離間距離が調整できるように設け、この第１挟持体と第２挟持体とで建物の外壁を挟み付けて固定するようにしたもので、第１挟持体を横棒に固定し、第２挟持体を横棒に対しスライド自在として、第２挟持体に設けたピン孔と横棒に設けた任意のピン孔とに連結ピンを挿通させることにより、両挟持体間の離間距離を調整するようになっている。
【０００３】
上記壁つなぎ取付金具では、両挟持体間の離間距離を調整するのに、第１挟持体を横棒に固定し、第２挟持体を横棒に対しスライド自在として、第２挟持体のピン孔と横棒の任意のピン孔とに連結ピンを挿通させるようにしているため、第２挟持体のピン孔及び横棒の任意のピン孔に対する連結ピンの着脱操作が面倒で、建物外壁への取付けに手間がかかるという問題がある。
【先行技術文献】
【特許文献】
【０００４】
【特許文献１】特開平９−３１０４８３号公報
【考案の概要】
【考案が解決しようとする課題】
【０００５】
上記の問題点に鑑み、建物外壁への取付けが簡単容易に行えると共に、構造がコンパクトで外観上の体裁が良好で実用的な壁つなぎ取付金具を提供することを目的とする。
【課題を解決するための手段】
【０００６】
上記課題を解決するための手段を、後述する実施形態の参照番号を付して説明すると、請求項１に係る考案は、仮設足場２の壁つなぎ５を建物外壁６に取り付けるための取付金具であって、
壁つなぎ５に連結される第１管体７と、第１管体７よりも径小で、第１管体７内に伸縮自在に嵌合される第２管体８とを備え、第１管体７及び第２管体８の夫々外端部に下向きに突設する挟持片９，１０を設け、第１管体７の挟持片９には壁つなぎ用連結部１１を設け、第１管体７は外端部を閉塞し、この外端側閉塞部１２にボルト挿通孔１３を設け、第２管体８は両端部を閉塞して、その内端側閉塞部１４にネジ孔１５を設け、第１管体７の外端側ボルト挿通孔１３から挿通した締付用ボルト１７の先端部を第２管体８の内端側ネジ孔１５に螺入し、このボルト１７を正逆回転させることにより両管体７，８を伸縮させるようにし、しかして両管体７，８の挟持片を建物外壁６の突起部６ａに跨がらせて締付用ボルト１７を締付方向に回転させることにより、両管体７，８を収縮させて、両挟持片９，１０で挟着固定するようにしたことを特徴とする。
【０００７】
請求項２は、請求項１に記載の壁つなぎ取付金具において、第１管体７及び第２管体８は夫々角形管体からなるもので、第１管体７の上壁部７ａ下面と第２管体８の上壁部８ａ上面との間にスペーサプレート１８を介在させて、このスペーサプレート１８を第２管体８に固定すると共に、このプレート１８にはその幅方向中央部にプレート長さ方向に所要長さ延びるガイド溝１９を設け、このガイド溝１９に沿って案内されるガイドピン２０を第１管体７の内端部の管体幅方向中央部に取り付けてなることを特徴とする。
【０００８】
請求項３は、請求項２に記載の壁つなぎ取付金具において、スペーサプレート１８の幅方向中央部にプレート長さ方向に所要長さ延びて設けられるガイド溝１９の内端部１９ａは閉塞されてなることを特徴とする。
【０００９】
請求項４は、請求項１〜３の何れかに記載の壁つなぎ取付金具において、前記壁つなぎ用連結部１１は、第１管体７の挟持片９の下端部に設けられるネジ孔部２４ａからなることを特徴とする。
【００１０】
請求項５は、請求項１〜４の何れかに記載の壁つなぎ取付金具において、第２管体８の挟持片１０は、その内側面１０ａを下端側が内方へ出っ張るような傾斜面に形成してなることを特徴とする。
【考案の効果】
【００１１】
上記解決手段による考案の効果を、後述する実施形態の参照番号を付して説明すると、請求項１に係る考案の壁つなぎ取付金具によれば、壁つなぎ取付金具の取付けにあたり、両管体７，８の挟持片９，１０を他建物外壁６の突起部６ａに跨がらせた状態で、締付用ボルト１７を締付方向に回転させるだけで、両挟持片９，１０が突起部６ａを両側から挟着するから、建物外壁６の突起部６ａに対する取付け作業を簡単容易にして且つ迅速に行うことができる。またボルト１７の締付作業を仮設足場２側から行うことができるため、ベランダ側に立ち入る必要がなく、作業の効率が良く、作業の安全性も向上する。
【００１２】
また、この考案の壁つなぎ取付金具では、壁つなぎ用連結部１１に連結される側の第１管体７の外端部を閉塞して、この外端側閉塞部１２にボルト挿通孔１３を設け、第１管体７内に嵌合される第２管体８の両端部を閉塞し、その内端側閉塞部１４にネジ孔１５を設け、第１管体７の外端側ボルト挿通孔１３から挿通した締付用ボルト１７の先端部を第２管体８の内端側ネジ孔１５に螺入し、このボルト１７を正逆回転させることにより両管体７，８を伸縮させるようにしたから、両管体７，８を最小収縮した状態で使用する時も、締付用ボルト１７は第２管体８内に納まったままの状態で、その第２管体８から突出することがなく、外観上の体裁が良い上に、不要な金属突出部がないために居住側の安全性を高めることができる。
【００１３】
因に、壁つなぎ用連結部１１に連結される第１管体７に第２管体８を外嵌するように構成して、第２管体８の内端部を開放し、その外端部を閉塞し、そして第１管体７の外端側ボルト挿通孔１３から挿通した締付用ボルト１７の先端部を第２管体８の外端閉塞部１４に螺入する構成とした場合には、両管体７，８が如何なる伸縮状態の時も締付用ボルト１７の先端部側が第２管体８の外端閉塞部１４から前方へ突出し、殊に両管体７，８の最小収縮時はボルト１７の先端側が相当長く突出することになり、従って外観的にも体裁が悪い上に、不要な金属突出部のために安全性が損なわれる。
【００１４】
請求項２に係る考案によれば、第１管体７及び第２管体８を夫々角形管体からなるものとし、第１管体７の上壁部７ａ下面と第２管体８の上壁部８ａ上面との間にスペーサプレート１８を介在させて、このスペーサプレート１８を第２管体８に固定すると共に、このプレート１８にはその幅方向中央部にプレート長さ方向に所要長さ延びるガイド溝１９を設け、このガイド溝１９に沿って案内されるガイドピン２０を第１管体７の内端部の管体幅方向中央部に取り付けたことにより、第１管体７内に嵌合された第２管体８の上下方向のガタつきを阻止し、またこのスペーサプレート１８のガイド溝１９内に第１管体７に突設したガイドピン２０を係合させることにより、第２管体８の左右方向のガタつきを阻止して、両管体７，８の伸縮作動と締付用ボルト１７による第２管体８の駆動をスムーズに行わせることができる。
【００１５】
請求項３に係る考案によれば、ガイドピン２０は、上記のような位置規制機能の他に、常時は第２管体８の内端側閉塞部１４のネジ孔１５に螺合して第２管体８を第１管体７に連結している締付用ボルト１７をそのネジ孔１５から抜いて取り外する際に第２管体８が第１管体７から離脱するのを阻止するストッパー機能を有する。
【００１６】
請求項４に係る考案によれば、壁つなぎ用連結部１１は、第１管体７の挟持片９の下端部に設けられたネジ孔部２４ａからなるため、壁つなぎ５の螺軸部５ｃを簡単容易に連結することができる。
【００１７】
請求項５に係る考案によれば、第２管体８の挟持片１０は、その内側面１０ａを下端側が内方へ出っ張るような傾斜面に形成しているから、両管体７，８の挟持片９，１０によって建物外壁６の突起部６ａを挟持した時に両挟持片９，１０が不測に脱落するのを防止することができる。
【図面の簡単な説明】
【００１８】
【図１】本考案に係る壁つなぎ取付金具の使用形態を示す正面図である。
【図２】(a) は同壁つなぎ取付金具の拡大正面図で、第１管体と第２管体との最大伸張状態を示し、また第１管体の挟持片に壁つなぎを連結した状態を示し、(b) は同壁つなぎ取付金具の平面図、(c) は同壁つなぎ取付金具の左側面図である。尚、壁つなぎの連結状態は(a) にのみ示す。
【図３】(a) は図２の(b) のＡ−Ａ線断面図で、第１管体と第２管体とが最大伸張した状態を示し、(b) は第１管体と第２管体とが最小収縮した状態の断面図である。
【図４】壁つなぎ取付金具の第２管体を示す正面図、(b) は平面図、(c) は左側面図である。
【図５】壁つなぎ取付金具の第１管体を示す正面図、(b) は平面図、(c) は左側面図である。
【図６】(a) は締付用ボルトの長さを延長した場合の壁つなぎ取付金具の最大伸張状態での正面図、(b) は平面図、(c) は左側面図であり、(d) は同壁つなぎ取付金具の最小収縮した状態での正面図である。
【考案を実施するための形態】
【００１９】
以下に本考案の好適な実施形態について図面を参照しつつ説明すると、図１において、１は本考案に係る壁つなぎ取付金具で、この壁つなぎ取付金具１は、一端部を仮設足場２の足場支柱３にパイプクランプ４によってつないだ壁つなぎ５の他端部に連結した状態で建物外壁６の突起部６ａに取付固定されるようになっている。この突起部６ａは、例えば集合住宅のベランダ手摺又はパラペットである。
【００２０】
壁つなぎ取付金具１は、図１〜図３に示すように、壁つなぎ５に連結される第１管体７と、この第１管体７よりも径小で、この第１管体７内に伸縮自在に嵌合される第２管体８とを備え、第１管体７及び第２管体８の夫々外端部に下向きに突設する挟持片９，１０を設け、第１管体７の挟持片９には壁つなぎ用連結部１１を設け、第１管体７は外端部を閉塞して、この外端側閉塞部１２にボルト挿通孔１３を設け、第２管体８は両端部を閉塞して、その内端側閉塞部１４にネジ孔１５を設け、第１管体７の外端側ボルト挿通孔１３から挿通した締付用ボルト１７の先端部を第２管体８の内端側ネジ孔１５に螺入し、この締付用ボルト１７を正逆回転させることにより両管体７，８を互いに伸縮させるようにしたものたである。
【００２１】
上記壁つなぎ取付金具１の構造について図２〜図５を参照して更に詳しく説明すれば、第１管体７及び第２管体８は夫々金属製の角形管体からなるもので、第１管体７は第２管体８よりも径大であるが、第１管体７内に第２管体８を嵌合した状態で第１管体７の内周面と第２管体８の外周面との間の隙間が大きくなる場合は、両管体７，８の伸縮スライド操作に不都合を生じて好ましくないので、第１管体７の上壁部７ａ下面と第２管体８の上壁部８ａ上面との間にスペーサプレート１８を介在させ、このスペーサプレート１８を第２管体８に取付け固定すると共に、このスペーサプレート１８にはその幅方向中央部に、プレート長さ方向に所要長さ延びるガイド溝１９を設け、このガイド溝１９に沿って案内されるガイドピン２０を第１管体７の内端部の管体幅方向中央部に取り付ける。
【００２２】
第２管体８を示す図４の(a) 〜(c) から分かるように、スペーサプレート１８は、平面視が長尺なＵ字状を成すように形成されたもので、第２管体８の上壁部８ａ上面の内端部側寄りに固定されて、第２管体８の幅方向中央部にガイド溝１９を形成し、このガイド溝１９は内端部１９ａが閉塞されている。このガイド溝１９に案内されるガイドピン２０はリベットからなるもので、図３の(a) ，(b) 及び図５の(a) 〜(d) に示すように、第１管体７の上壁部７ａ内端部の幅方向中央部に設けられたリベット孔２１より挿入して上壁部７ａ下面より突出し、第２管体８の上壁部８ａ上面に固定されたスペーサプレート１８のガイド溝１９に係合するようになっている。
【００２３】
上記のように第２管体８の上壁部８ａ上面にスペーサプレート１８を取り付けることにより、第１管体７内に嵌合された第２管体８の上下方向のガタつきを阻止し、またこのスペーサプレート１８のガイド溝１９内に第１管体７に突設したガイドピン２０を係合させることにより、第２管体８の左右方向のガタつきを阻止して、両管体７，８の伸縮作動と締付用ボルト１７による第２管体８の駆動をスムーズに行わせることができる。尚、このガイドピン２０は、上記のような位置規制機能の他に、常時は第２管体８の内端側閉塞部１４のネジ孔１５に螺合して第２管体８を第１管体７に連結している締付用ボルト１７をそのネジ孔１５から抜いて取り外す際に、ガイド溝１９の内端部１９ａが閉塞されているため、ガイドピン２０がガイド溝１９の内端部１９ａに当接して、第２管体８が第１管体７から離脱するのを阻止するストッパー機能を有する。
【００２４】
また、第１管体７の外端側閉塞部１２は、図５から分かるように、第１管体７に取り付けられる挟持片９の上端延長部を利用したもので、この上端延長部からなる閉塞部１２の中央部にボルト挿通孔１３を設けている。また、第１管体７の下壁部７ｂの内端部には、図３の(b) に示すように第２管体８が第１管体７に対し最大収縮した時に第２管体８の挟持片１０の基端部を受け入れる挟持片受入溝２２を設けている。この挟持片受入溝２２を設けたことにより、第２管体８を第１管体７に対して最大限コンパクトに収納することができる。
【００２５】
第１管体７の挟持片９に設けられた壁つなぎ用連結部１１は、図３に示すように、挟持片９の下端部に設けてある孔部２３の外端部に同心状に溶接により固着されたナット２４のネジ孔２４ａからなる。尚、この実施形態では、壁つなぎ用連結部１１をナット２４のネジ孔２４ａからなるものとしているが、ナット２４を取り付けることなく、挟持片９の下端部の孔部２３の代りにネジ孔を形成してもよい。
【００２６】
また図２及び図３に示すように、第１管体７及び第２管体８の挟持片９，１０には夫々の内側面にシート状の緩衝材２５を貼着している。この緩衝材２５は、フェルト材、合成樹脂材、ゴム等からなるもので、金属製の挟持片９，１０を建物外壁６の突起部６ａに跨がらせて挟持する際に、挟持片９，１０が突起部６ａに衝当する時の衝当音を緩和すると共に、突起部６ａが傷ついたり破損するのを防止する役割を果たす。
【００２７】
図２の(a) 及び図４の(a) に示すように、第２管体の挟持片１０は、その内側面１０ａを下端側が内方へ出っ張るような傾斜面に形成している。この傾斜面１０ａの傾斜角度θは、約１°〜約５°とする。このように第２管体の挟持片１０の内側面１０ａを下端側が内方へ出っ張るような傾斜面とすることにより、両管体７，８の挟持片９，１０によって建物外壁６の突起部６ａを挟持した時の両挟持片９，１０の不測の脱落を防止することができる。
【００２８】
第２管体８は両端部が閉塞され、その内端側の閉塞部１４にはネジ孔１５が設けられ、外端側の閉塞部１６には、後述するように締付用ボルト１７の長さを延長する場合に両管体７，８を最小収縮させた時に当該延長回転防止ピン１６の先端部を突出させるためのボルト突出孔１６ａを設けている。
【００２９】
尚、図１に示す壁つなぎ５は、本体５ａと、この本体５ａの両端部に夫々伸縮可能に連結された螺軸５ｂ，５ｃとからなり、一端部側の螺軸５ｂの先端部にはパイプクランプ４が取り付けられ、他端部側の螺軸５ｃは、図２の(a) に示すように、本考案に係る壁つなぎ取付金具１の第１管体７側に設けてある壁つなぎ用連結部１１に連結される。また図１において、２６は仮設足場２に架け渡される足場板を示す。
【００３０】
また図２〜図４において、２７は第２管体８の製作にあたって管体８をドブ漬けによってメッキする時にメッキ液を内部へ積極的に浸入させるための孔である。
【００３１】
上記のように構成される壁つなぎ取付金具１の取付けについて説明すると、先ず、図１に示すような建物外壁６の突起部６ａの幅寸法に合わせて第１管体７の挟持片９と第２管体８の挟持片１０との離間距離を拡幅調整する。調整においては、図２及び図３に示す締付用ボルト１７を時計回り（締付方向）に回転させると、両管体７，８が互いに収縮し、反時計回り（緩み方向）に回転させると、両管体７，８が互いに伸張する。図３の(a) は両管体７，８の最大伸張状態を示し、(b) は最小収縮状態を示す。
【００３２】
しかして、突起部６ａの幅寸法に合わせて両挟持片９，１０の離間距離をある程度広めに調整した後、両管体７，８の挟持片９，１０を他建物外壁６の突起部６ａに跨がらせ、この状態で締付用ボルト１７を時計回り（締付方向）に回転させることにより両管体７，８を収縮させて、両挟持片９，１０を突起部６ａの両側面に圧接することにより、壁つなぎ取付金具１全体を突起部６ａに固定する。この後、図２の(a) に示すように、壁つなぎ５の一方側の螺軸５ｃを本体５ａに対し伸縮調整しながら、第１管体７の挟持片９の壁つなぎ用連結部１１に連結し、それから他方側の螺軸５ｂに取り付けてあるパイプクランプ４を仮設足場２の足場支柱３に掴持させて固定すればよい。
【００３３】
この壁つなぎ取付金具１は、取付けにあたって、両管体７，８の挟持片９，１０を他建物外壁６の突起部６ａに跨がらせた状態で、締付用ボルト１７を締付方向に回転させるだけで、両挟持片９，１０が突起部６ａを両側から挟着するから、突起部６ａに対する取付け作業を簡単容易にして迅速に行うことができる。またボルト１７の締付作業を仮設足場２の足場板２６側から行うことができるため、ベランダ側に立ち入る必要がなく、作業の効率が良く、作業の安全性も向上する。
【００３４】
また、この壁つなぎ取付金具１では、壁つなぎ用連結部１１に連結される側の第１管体７の外端部を閉塞して、この外端側閉塞部１２にボルト挿通孔１３を設け、そして第１管体７内に嵌合される第２管体８の両端部を閉塞し、その内端側閉塞部１４にネジ孔１５を設け、第１管体７の外端側ボルト挿通孔１３から挿通した締付用ボルト１７の先端部を第２管体８の内端側ネジ孔１５に螺入し、このボルト１７を正逆回転させることにより両管体７，８を伸縮させるようにしたから、両管体７，８を図３の(b) に示すように最小収縮状態で使用する時でも、締付用ボルト１７は第２管体８内に納まったままの状態で、その第２管体８から突出することがなく、外観上の体裁が良い上に、不要な金属突出部がないために居住側の安全性を高めることができる。
【００３５】
この考案の壁つなぎ取付金具１では、壁つなぎ用連結部１１に連結される第１管体７内に第２管体８を嵌合するようにして、第２管体８の内端側閉塞部１４のネジ孔１５に、第１管体７側から挿通した締付用ボルト１７の先端部を螺入するようにしているが、因に、壁つなぎ用連結部１１に連結される第１管体７に第２管体８を外嵌する構成にすると共に第２管体８の内端部を開放し、その外端部を閉塞し、そして第１管体７の外端側ボルト挿通孔１３から挿通した締付用ボルト１７の先端部を第２管体８の外端閉塞部１４に螺入する構成とした場合には、両管体７，８が如何なる伸縮状態の時も締付用ボルト１７の先端部側が第２管体８の外端閉塞部１４から前方へ突出し、殊に両管体７，８の最小収縮時はボルト１７の先端側が相当長く突出することになり、従って外観的にも体裁が悪い上に、不要な金属突出部のために安全性が損なわれる。
【００３６】
図２の(a) 及び図３の（ａ）は両管体７，８が最大伸張して両者間の離間距離が最大の状態を示しているが、両管体７，８間の離間距離を更に延ばしたい時には、図２に示す締付用ボルト１７よりも長さの長いものを使用すればよい。このように締付用ボルト１７の長さを延長する場合を図６に示す。このボルト延長時には、図５から分かるように、第１管体７の内端部に取り付けてあるガイドピン２０（リベット）を取り外すことよって、両管体７，８間の離間距離を延ばすことができ、しかして第１管体７側から挿通した長さの長い締付用ボルト１７の先端部を第２管体８の内端側閉塞部１４のネジ孔１５に螺入すればよい。このように締付用ボルト１７の長さを延長する場合には、両管体７，８を最小収縮させた時に、この延長締付用ボルト１７の先端部を、第２管体８の外端側閉塞部１６に設けてあるボルト突出孔１６ａから突出させ、それによって第２管体８を第１管体７内に的確に収納することができる。尚、図６の（ａ）〜(d) に示すように、ガイドピン２０（リベット）を取り外した後にはリベット孔２１が残っている。
【符号の説明】
【００３７】
１            壁つなぎ取付金具
２            仮設足場
５            壁つなぎ
６            建物外壁
７            第１管体
８            第２管体
９，１０      挟持片
１１          壁つなぎ用連結部
１２          第１管体の外端側閉塞部
１３          ボルト挿通孔
１４          第２管体の内端側閉塞部
１５          ネジ孔
１６          第２管体の外端側閉塞部
１７          締付用ボルト
１８          スペーサプレート
１９          ガイド溝
２３          ネジ孔部
２５          緩衝材
【図１】
0003163919.tif 000003
【図２】
0003163919.tif 000004
【図３】
0003163919.tif 000005
【図４】
0003163919.tif 000006
【図５】
0003163919.tif 000007
【図６】
0003163919.tif 000008